(57)【特許請求の範囲】
【請求項１】
水平方向の一端部に物品の出し入れ用開口が形成されたコンテナ本体と、このコンテナ本体の外部側から上記開口に嵌脱可能に嵌入されることにより、この開口を開閉可能に閉じるドアと、このドアよりもコンテナ本体の内部空間側でこのコンテナ本体の内面に形成され、上記開口の中心線に沿った方向で上記ドアの外縁部と対面するよう上記中心線側に向かって延出する延出体と、上記ドアの外縁部に固着され、上記中心線に直交する方向で互いに対面する上記開口の開口縁部と上記ドアの外縁部との間の第１隙間をシールする第１シール体と、上記延出体に固着され、上記ドアの外縁部と上記延出体との間の第２隙間をシールする第２シール体とを備えた物品輸送コンテナにおいて、
上記中心線に沿った方向で、上記延出体が上記第２シール体を全体的にコンテナ本体の内部空間側から覆うようにしたことを特徴とする物品輸送コンテナ。
【請求項２】
上記コンテナ本体の側部における上記延出体の延出端縁部から上記第２シール体と上記中心線とに対しそれぞれ離反するよう延出し、その延出端縁部が上記コンテナ本体の側部の内面に固着される傾斜案内板を設けたことを特徴とする請求項１に記載の物品輸送コンテナ。
【請求項３】
上記コンテナ本体の底部における上記開口の開口縁部に、このコンテナ本体の内部空間側から上記中心線に沿った方向で外部に向かう途中から下方に向かって延出する縦壁部と、この縦壁部の下端縁部から上記コンテナ本体の外部に向かって延出することにより上記コンテナ本体の内部空間側の底部から見て下り段差となる段差部とを形成し、上記縦壁部を上記延出体としたことを特徴とする請求項１、もしくは２に記載の物品輸送コンテナ。
【請求項４】
上記ドアが、上記開口の開口縁部に枢支される観音開き式の一対のドア部を有し、これら両ドア部の各回動端縁部の間の第３隙間をシールする第３シール体を設け、この第３シール体が、上記両ドア部の両回動端縁部の内面に跨るよう設けられ、上記第３隙間の幅方向における一端縁部が上記両回動端縁部のうちの一方の回動端縁部に固着されるシールブラケットと、上記第３隙間の幅方向における上記シールブラケットの他端縁部の上記内部空間とは反対側の面に取り付けられ、他方の回動端縁部に圧接するシール体本体とを備えたことを特徴とする請求項１から３のうちいずれか１つに記載の物品輸送コンテナ。
【請求項５】
上記物品が瓦礫など廃棄物であることを特徴とする請求項１から４のうちいずれか１つに記載の物品輸送コンテナ。
【発明の詳細な説明】
【技術分野】
【０００１】
本発明は、コンテナ本体と、このコンテナ本体の水平方向の一端部に形成された開口をシール体を介し開閉可能に閉じるドアとを備えた物品輸送コンテナに関するものである。
【背景技術】
【０００２】
上記物品輸送コンテナには、従来、下記特許文献１〜４に示されるものがある。上記各特許文献のうち、特許文献１，２と、特許文献３の図１〜３とによれば、物品輸送コンテナは、水平方向の一端部に物品の出し入れ用開口が形成されたコンテナ本体と、このコンテナ本体の外部側から上記開口に嵌脱可能に嵌入されることにより、この開口を開閉可能に閉じるドアと、上記開口の中心線に直交する方向で互いに対面する上記開口の開口縁部と上記ドアの外縁部との間の第１隙間をシールする第１シール体とを備えている。
【０００３】
そして、上記コンテナによれば、コンテナ本体の開口を通しこのコンテナ本体の内部空間に物品を挿入し、上記開口をドアで閉じれば、上記コンテナ内に物品が収容されて輸送可能な状態とされる。この場合、コンテナの外部の雨水がこのコンテナ内に浸入しようとすることは上記第１シール体によって防止される。このため、上記コンテナ内に収容された物品がその輸送中に雨水で汚損させられることは防止される。
【０００４】
また、上記各特許文献のうち、特に、特許文献３の図４では、上記コンテナは、前記コンテナ本体、ドア、および第１シール体に加えて、次のように構成されている。即ち、上記コンテナは、上記ドアよりもコンテナ本体の内部空間側でこのコンテナ本体の内面に形成され、上記開口の中心線に沿った方向で上記ドアの外縁部と対面するよう上記中心線側に向かって延出する延出体と、この延出体の延出端縁部に外嵌されて固着され、上記ドアの外縁部と上記延出体との間の第２隙間をシールする第２シール体とを備えている。
【０００５】
そして、上記コンテナによれば、このコンテナの外部の雨水がこのコンテナ内に浸入しようとすることは、上記第１、第２シール体によって、より確実に防止される。しかも、上記コンテナ内の物品から滲出した水などの液体がこのコンテナの外部に漏出しようとすることは、特に、上記第２シール体によって、より確実に防止されると考えられる。このため、水など液体分を含有する物品をコンテナ内に収容して輸送する際、上記物品からの液体が上記コンテナの外部にまで漏出することは防止される。よって、上記液体によりコンテナの周りが汚損されることは防止される。
【０００６】
一方、上記コンテナが物品と共に輸送されて目的地に到着した場合には、例えば、上記各特許文献のうち、特許文献４の図５で示すように、ドアの開動作によりコンテナ本体の開口が開けられ、この状態で、このコンテナ本体は、その他端部側が油圧シリンダなどで押し上げられて傾動させられる。すると、コンテナ内に収容されていた物品は、このコンテナの内面を摺動させられて上記開口を通し外部に排出可能とされる。
【先行技術文献】
【特許文献】
【０００７】
【特許文献１】実公昭６３−６２７号公報
【特許文献２】実開昭６２−２８７９２号公報
【特許文献３】実用新案登録第２５７５２３７号公報
【特許文献４】特開２０００−１４２８７９号公報
【発明の概要】
【発明が解決しようとする課題】
【０００８】
ところで、前記したように、特許文献３の図４のコンテナでは、第１シール体に加えて第２シール体を設けたことにより、コンテナ内の物品から滲出した水などの液体がこのコンテナの外部に漏出することは、より確実に防止される。
【０００９】
しかし、上記第２シール体は上記延出体の延出端縁部に外嵌されて固着されていることから、上記第２シール体は、上記開口の中心線に沿った方向で上記コンテナ本体の内部空間に向かって露出している。このため、上記第２シール体には、コンテナ内の物品から直接大きい外力を与えられがちとなって、早期に損傷するおそれを生じる。また、前記した特許文献４の図５で示すように、コンテナを傾動させて、コンテナ本体の内部空間の物品を排出させる際には、この物品は上記第２シール体に衝突しがちとなることから、この点でも、この第２シール体は早期に損傷するおそれを生じる。
【課題を解決するための手段】
【００１０】
本発明は、上記のような事情に注目してなされたもので、本発明の目的は、コンテナ内の何らかの液体がこのコンテナの外部に漏出しないよう、そのコンテナ本体に形成された開口をシール体を介しドアで開閉可能に閉じるようにした場合において、上記シール体がコンテナ内に収容された物品によって早期には損傷させられないようにして、コンテナの寿命を向上させることである。
【００１１】
請求項１の発明は、水平方向の一端部に物品Ａの出し入れ用開口２が形成されたコンテナ本体３と、このコンテナ本体３の外部側から上記開口２に嵌脱可能に嵌入されることにより、この開口２を開閉可能に閉じるドア１２と、このドア１２よりもコンテナ本体３の内部空間８側でこのコンテナ本体３の内面に形成され、上記開口２の中心線１０に沿った方向で上記ドア１２の外縁部と対面するよう上記中心線１０側に向かって延出する延出体２０と、上記ドア１２の外縁部に固着され、上記中心線１０に直交する方向で互いに対面する上記開口２の開口縁部と上記ドア１２の外縁部との間の第１隙間２２をシールする第１シール体２３と、上記延出体２０に固着され、上記ドア１２の外縁部と上記延出体２０との間の第２隙間２６をシールする第２シール体２７とを備えた物品輸送コンテナにおいて、
上記中心線１０に沿った方向で、上記延出体２０が上記第２シール体２７を全体的にコンテナ本体３の内部空間８側から覆うようにしたことを特徴とする物品輸送コンテナである。
【００１２】
請求項２の発明は、上記コンテナ本体３の側部６における上記延出体２０の延出端縁部から上記第２シール体２７と上記中心線１０とに対しそれぞれ離反するよう延出し、その延出端縁部が上記コンテナ本体３の側部６の内面に固着される傾斜案内板３９を設けたことを特徴とする請求項１に記載の物品輸送コンテナである。
【００１３】
請求項３の発明は、上記コンテナ本体３の底部５における上記開口２の開口縁部に、このコンテナ本体３の内部空間８側から上記中心線１０に沿った方向で外部に向かう途中から下方に向かって延出する縦壁部３７と、この縦壁部３７の下端縁部から上記コンテナ本体３の外部に向かって延出することにより上記コンテナ本体３の内部空間８側の底部５から見て下り段差となる段差部３８とを形成し、上記縦壁部３７を上記延出体２０としたことを特徴とする請求項１、もしくは２に記載の物品輸送コンテナである。
【００１４】
請求項４の発明は、上記ドア１２が、上記開口２の開口縁部に枢支される観音開き式の一対のドア部１２ａ，１２ｂを有し、これら両ドア部１２ａ，１２ｂの各回動端縁部の間の第３隙間２９をシールする第３シール体３１を設け、この第３シール体３１が、上記両ドア部１２ａ，１２ｂの両回動端縁部の内面に跨るよう設けられ、上記第３隙間２９の幅方向における一端縁部が上記両回動端縁部のうちの一方の回動端縁部に固着されるシールブラケット３１ａと、上記第３隙間２９の幅方向における上記シールブラケット３１ａの他端縁部の上記内部空間８とは反対側の面に取り付けられ、他方の回動端縁部に圧接するシール体本体３１ｂとを備えたことを特徴とする請求項１から３のうちいずれか１つに記載の物品輸送コンテナである。
【００１５】
請求項５の発明は、上記物品Ａが瓦礫など廃棄物であることを特徴とする請求項１から４のうちいずれか１つに記載の物品輸送コンテナである。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、水平方向の一端部に物品の出し入れ用開口が形成されたコンテナ本体と、このコンテナ本体の外部側から上記開口に嵌脱可能に嵌入されることにより、この開口を開閉可能に閉じるドアと、このドアよりもコンテナ本体の内部空間側でこのコンテナ本体の内面に形成され、上記開口の中心線に沿った方向で上記ドアの外縁部と対面するよう上記中心線側に向かって延出する延出体と、上記ドアの外縁部に固着され、上記中心線に直交する方向で互いに対面する上記開口の開口縁部と上記ドアの外縁部との間の第１隙間をシールする第１シール体と、上記延出体に固着され、上記ドアの外縁部と上記延出体との間の第２隙間をシールする第２シール体とを備えた物品輸送コンテナにおいて、
上記中心線に沿った方向で、上記延出体が上記第２シール体を全体的にコンテナ本体の内部空間側から覆うようにしている。
【００１９】
このため、上記第１シール体に加えて第２シール体を設けたことにより、コンテナ内の物品から滲出する水などの液体が上記第１、第２隙間を通りコンテナの外部に漏出することは、より確実に防止される。
【００２０】
そして、コンテナ内に収容された物品から上記第２シール体に外力が与えられようとするとき、この外力は主に上記延出体によって坦持されることから、上記物品から上記第２シール体に直接大きい外力が与えられることは防止される。よって、上記第２シール体がコンテナ内の物品からの外力で早期に損傷させられることは防止されて、コンテナの寿命の向上が達成される。
【００２１】
また、仮に、上記ドアの開動作によりコンテナ本体の開口が開けられた状態で、コンテナ本体の他端部側が押し上げられて傾動させられ、これにより、コンテナ内に収容されていた物品が上記開口を通しコンテナ内から排出させられるときには、この物品の一部は上記第２シール体に衝突しようとするが、この第２シール体への物品の衝突は上記第２シール体をコンテナ本体の内部空間側から覆う上記延出体により防止される。よって、コンテナ内から排出させられる物品からの衝突により上記第２シール体が早期に損傷させられることは防止されて、この点でも、コンテナの寿命の向上が達成される。
【００２２】
請求項２の発明は、上記コンテナ本体の側部における上記延出体の延出端縁部から上記第２シール体と上記中心線とに対しそれぞれ離反するよう延出し、その延出端縁部が上記コンテナ本体の側部の内面に固着される傾斜案内板を設けている。
【００２３】
このため、前記したようにコンテナ本体の他端部側が押し上げられて傾動させられることにより、上記コンテナ内の物品が上記開口を通し排出させられるときには、上記物品は上記傾斜案内板の表面に沿うよう円滑に案内されて排出させられる。よって、コンテナ内の物品は、コンテナ内への残留が生じることが防止され、かつ、円滑に排出させられる。
【００２４】
また、コンテナ本体の一端部における左右各側部には、上記延出体、および傾斜案内板によって中空閉断面構造が形成されて上記コンテナ本体の各側部が補強される。よって、前記したようにコンテナ本体の一端部には開口が形成されることにより強度と剛性とが低下しがちではあるが、この低下は、上記延出体と傾斜案内板とを利用した簡単な構成による補強によって、十分に補填される。
【００２５】
請求項３の発明は、上記コンテナ本体の底部における上記開口の開口縁部に、このコンテナ本体の内部空間側から上記中心線に沿った方向で外部に向かう途中から下方に向かって延出する縦壁部と、この縦壁部の下端縁部から上記コンテナ本体の外部に向かって延出することにより上記コンテナ本体の内部空間側の底部から見て下り段差となる段差部を形成し、上記縦壁部を上記延出体としている。
【００２６】
このため、上記したように、コンテナ本体の底部の内面に上記中心線側に向かって延出する延出体を形成したことにかかわらず、上記コンテナ本体の底部の上面は全体的に平坦形状に保たれる。よって、前記したようにコンテナ本体の他端部側が押し上げられて傾動させられることにより、上記コンテナ内の物品が上記開口を通し排出させられるときには、上記物品は、コンテナ本体の底部の上面を円滑に摺動し、このため、コンテナ内への残留が生じることが防止され、かつ、円滑に排出させられる。
【００２７】
請求項４の発明は、上記ドアが、上記開口の開口縁部に枢支される観音開き式の一対のドア部を有し、これら両ドア部の各回動端縁部の間の第３隙間をシールする第３シール体を設け、この第３シール体が、上記両ドア部の両回動端縁部の内面に跨るよう設けられ、上記第３隙間の幅方向における一端縁部が上記両回動端縁部のうちの一方の回動端縁部に固着されるシールブラケットと、上記第３隙間の幅方向における上記シールブラケットの他端縁部の上記内部空間とは反対側の面に取り付けられ、他方の回動端縁部に圧接するシール体本体とを備えている。
【００２８】
このため、上記第３シール体を設けたことにより、コンテナ内の物品から滲出する水などの液体が上記第３隙間を通りコンテナの外部に漏出することは防止される。
【００２９】
そして、コンテナ内に収容された物品から上記第３シール体に外力が与えられるとき、この外力は主に上記シールブラケットによって担時されることから、上記物品から上記シール体本体に直接大きい外力が与えられることは防止される。よって、上記第３シール体のシール体本体がコンテナ内の物品からの外力で早期に損傷させられることは防止されて、コンテナの寿命の向上が達成される。
【００３０】
請求項５の発明は、上記物品が瓦礫など廃棄物とされている。
【００３１】
このため、上記物品は水が滲出し易いものではあるが、この物品を上記したコンテナ内に収容した場合には、前記したように物品からの滲出水がコンテナの外部にまで漏出することは、より確実に防止される。よって、上記滲出水によりコンテナの周りが汚損されることは、より確実に防止される。
【００３２】
また、特に、上記物品が瓦礫の廃棄物である場合には、破断部などの外面が先鋭な形状をなす瓦片、ガラス片、木片が多いため、この物品から第２シール体に与えられる外力により、この第２シール体はより早期に損傷させられるおそれがある。しかし、このような第２シール体の早期の損傷は、前記した延出体の作用よって防止される。
【図面の簡単な説明】
【００３３】
【図１】図２のI−I線矢視拡大断面部分破断図である。
【図２】コンテナの斜視部分破断図である。
【図３】図２のIII−III線矢視拡大断面部分破断図である。
【発明を実施するための形態】
【００３４】
本発明の物品輸送コンテナに関し、コンテナ内の何らかの液体がこのコンテナの外部に漏出しないよう、そのコンテナ本体に形成された開口をシール体を介しドアで開閉可能に閉じるようにした場合において、上記シール体がコンテナ内に収容された物品によって早期には損傷させられないようにして、コンテナの寿命を向上させるようにする、という目的を実現するため、本発明を実施するための形態は、次の如くである。
【００３５】
即ち、物品輸送コンテナは、水平方向の一端部に物品の出し入れ用開口が形成されたコンテナ本体と、このコンテナ本体の外部側から上記開口に嵌脱可能に嵌入されることにより、この開口を開閉可能に閉じるドアと、このドアよりもコンテナ本体の内部空間側でこのコンテナ本体の内面に形成され、上記開口の中心線に沿った方向で上記ドアの外縁部と対面するよう上記中心線側に向かって延出する延出体と、上記ドアの外縁部に固着され、上記中心線に直交する方向で互いに対面する上記開口の開口縁部と上記ドアの外縁部との間の第１隙間をシールする第１シール体と、上記延出体に固着され、上記ドアの外縁部と上記延出体との間の第２隙間をシールする第２シール体とを備える。上記中心線に沿った方向で、上記延出体が上記第２シール体を全体的にコンテナ本体の内部空間側から覆うようにしている。
【実施例】
【００３６】
本発明をより詳細に説明するために、その実施例を添付の図に従って説明する。
【００３７】
図において、符号１は、物品輸送コンテナであり、このコンテナ１内には、物品Ａとして瓦礫、建築廃材等の廃棄物、特に、水など液体を含有する廃棄物の収容が可能とされている。また、説明の便宜上、図中矢印Ｆｒで示す水平方向の一方向を前方とし、下記する左右とは上記前方に向かっての水平方向をいうものとする。
【００３８】
上記コンテナ１は、前方に向かって長く延びる直方体箱形状をなし、全体として金属製で十分の強度と剛性とを有している。つまり、上記した水平方向の一方向とコンテナ１の長手方向とは互いに合致している。そして、上記コンテナ１は、上記一方向とは逆方向の一端部である後端部に物品Ａの出し入れ用開口２が形成されたコンテナ本体３を備えている。
【００３９】
上記コンテナ本体３の底部５は、水平に延びる底板５ａと、この底板５ａの後端縁部に固着されてこれを補強する底板補強材５ｂとを有している。また、上記コンテナ本体３の左右各側部６は、上記底板５ａの左右各端縁部に立設される左右側板６ａ，６ａと、これら各側板６ａの後端縁部に固着されてこれを補強する側板補強材６ｂとを有している。また、上記コンテナ本体３の天井部７は、水平に延びて上記左右側板６ａ，６ａの各上端縁部に架設される天井板７ａと、この天井板７ａの後端縁部に固着されてこれを補強する天井板補強材７ｂとを有している。上記各板５ａ，６ａ，７ａは、それぞれ上記各補強材５ｂ，６ｂ，７ｂとの溶接による結合で補強されている。また、上記各補強材５ｂ，６ｂ，７ｂ同士が溶接により結合され、これにより、上記各板５ａ，６ａ，７ａがより補強されている。そして、上記各板と補強材とで囲まれた内部が上記コンテナ本体３の内部空間８とされている。
【００４０】
上記各板５ａ，６ａ，７ａの各前端縁部で囲まれた開口は不図示の閉じ板で閉じられている。上記各補強材５ｂ，６ｂ，７ｂにより上記開口２の開口縁部が形成され、この開口２の中心線１０は前後方向に延びている。
【００４１】
上記コンテナ本体３の後方の外部側から上記開口２に嵌脱可能に嵌入されることにより、この開口２を開閉可能に閉じるドア１２が設けられている。このドア１２は左右一対のドア部１２ａ，１２ｂを有し、これらドア部１２ａ，１２ｂは観音開き式となるよう、それぞれ上記開口２の開口縁部の各側板補強材６ｂ側にヒンジ１３により枢支されている。上記各ドア部１２ａは、それぞれその外縁部を構成する中空閉断面構造のドアフレーム１５と、このドアフレーム１５で囲まれた空間を閉じてこのドアフレーム１５に固着されるドアパネル１６とを有している。
【００４２】
上記ドア１２よりも上記コンテナ本体３の内部空間８側（前方側）でこのコンテナ本体３の内面に形成され、上記中心線１０に沿った方向（前後方向）で上記ドア１２の外縁部と対面するよう上記中心線１０側に向かって延出する延出体２０が設けられている。この延出体２０は、板金製で上記中心線１０に沿った方向で上記ドア１２から少し離れた近傍に配置されている。また、上記延出体２０は、上記開口２の開口縁部を形成する上記底板補強材５ｂと、左右各側板補強材６ｂとに形成され、上記天井板補強材７ｂには形成されていない。
【００４３】
上記中心線１０に直交する方向で互いに対面する上記開口２の開口縁部と上記ドア１２の外縁部との間の第１隙間２２をシールする第１シール体２３が設けられている。この第１シール体２３は、上記開口２の開口縁部の全周にわたり設けられ、上記ドア１２の外縁部に対しリベットなどの固着具２４により固着されている。
【００４４】
上記ドア１２の外縁部と上記延出体２０との間の第２隙間２６をシールする第２シール体２７が設けられている。この第２シール体２７は、上記開口２の開口縁部のうち、上記底板補強材５ｂと、左右各側板補強材６ｂの下部側とに沿ってコンテナ１の後面視でＵ字形状となるよう一体的に設けられ、上記延出体２０に対し接着材などにより固着されている。この場合、上記中心線１０に沿った方向で、上記延出体２０は上記第２シール体２７を全体的にコンテナ本体３の内部空間８側から覆っている。なお、上記第１、第２シール体２３，２７は互いに別体に形成されている。
【００４５】
より具体的には、上記ドア１２の各ドア部１２ａ，１２ｂの外縁部のうちの各下端縁部では、上記各ドアフレーム１５の内部空間８側のフレーム端縁部１５ａは、それぞれその長手方向の各部断面が縦方向に延びて、左右に延びるフラットバー形状とされている。そして、上記フレーム端縁部１５ａの前面が上記第２シール体２７の後面に面接触するよう圧接させられる。このため、上記ドア１２の下端縁部と第２シール体２７との接触面積が大きくなって、上記第１隙間２２のシール性がより向上させられる。
【００４６】
また、上記開口２の開口縁部のうちの下部開口縁部では、上記底部５の底板５ａの後端縁部が上記延出体２０よりも後方に突出させられている。これにより、上記底部５の底板５ａの後端縁部、底板補強材５ｂの上部、および延出体２０とにより、後方に向かって開口し、上記開口２の左右幅の全体にわたり延びる溝部２８が形成されている。そして、この溝部２８に上記第２シール体２７の前部が嵌入されて、取り付けられている。
【００４７】
上記の場合、溝部２８に上記第２シール体２７を弾性的に圧入して取り付けるようにしてもよい。このようにすれば、上記接着材など固着材は不要にできるため、上記第２シール体２７が損傷したり劣化した場合に、この第２シール体２７を新しいものに交換することが容易にできて、便利である。
【００４８】
上記ドア１２の両ドア部１２ａ，１２ｂの各回動端縁部の間で上下方向に延びる第３隙間２９を、上下方向の全体にわたりシールする第３シール体３０と他の第３シール体３１とが設けられている。
【００４９】
上記他の第３シール体３１は、上記第３隙間２９をコンテナ本体３の内部空間８側からシールする。上記他の第３シール体３１は、上記両ドア部１２ａ，１２ｂの両回動端縁部の内面に跨るよう設けられ、上記第３隙間２９の幅方向における一端縁部が上記両回動端縁部のうちの一方の回動端縁部に固着される板金製シールブラケット３１ａと、上記第３隙間２９の幅方向における上記シールブラケット３１ａの他端縁部の上記内部空間８とは反対側の面に取り付けられ、他方の回動端縁部に圧接するシール体本体３１ｂとを備えている。
【００５０】
上記第１〜第３シール体２３，２７，３０，３１、および他の第３シール体３１のシール体本体３１ｂは、いずれもゴム製とされている。
【００５１】
上記各シール体を介し上記開口２を閉じたドア１２を、手動操作により上記コンテナ本体３に対しロック、ロック解除可能にロックする公知のロック装置３５が設けられている。
【００５２】
上記コンテナ本体３の底部５において、上記開口２の開口縁部を形成する底板補強材５ｂには、このコンテナ本体３の内部空間８側から上記中心線１０に沿った方向で外部に向かう途中で上記底板５ａの後端縁部から下方に向かって延出する縦壁部３７と、この縦壁部３７の下端縁部から上記コンテナ本体３の外部に向かって延出することにより上記コンテナ本体３の内部空間８側の底部５から見て下り段差となる段差部３８とが形成されており、上記縦壁部３７が上記延出体２０とされている。
【００５３】
上記コンテナ本体３の左右各側部６における上記各延出体２０の延出端縁部から上記開口２の他端部側である前端部側に向かって延出し、その延出端縁部が上記コンテナ本体３の側部６の側板６ａの内面に溶接により固着される傾斜案内板３９が設けられている。この傾斜案内板３９は板金製で、上記各延出体２０の延出端縁部から上記第２シール体２７と上記中心線１０とに対しそれぞれ離反するよう直線的に延出している。
【００５４】
そして、上記コンテナ１によれば、コンテナ本体３の開口２を通しこのコンテナ本体３の内部空間８に物品Ａを挿入し、上記開口２をドア１２で閉じれば、上記コンテナ１内に物品Ａが収容されて輸送可能な状態とされる。この場合、コンテナ１の外部の雨水がこのコンテナ１内に浸入しようとすることは上記第１〜第３シール体２３，２７，３０，３１によって防止される。このため、上記コンテナ１内に収容された物品Ａがその輸送中に雨水で汚損させられることは防止される。
【００５５】
一方、上記コンテナ１内の物品Ａから滲出した水などの液体が上記第１、第２隙間２２，２６を通りコンテナ１の外部に漏出しようとすることは、特に、上記第２シール体２７と他の第３シール体３１とによって、より確実に防止される。このため、水など液体分を含有する物品Ａをコンテナ１内に収容して輸送する際、上記物品Ａからの液体が上記コンテナ１の外部にまで漏出することは防止される。よって、上記液体によりコンテナ１の周りが汚損されることは防止される。
【００５６】
上記構成によれば、上記中心線１０に沿った方向で、上記延出体２０が上記第２シール体２７をコンテナ本体３の内部空間８側から覆うようにしている。
【００５７】
このため、コンテナ１内に収容された物品Ａから上記第２シール体２７に外力が与えられようとするとき、この外力は主に上記延出体２０によって坦持されることから、上記物品Ａから上記第２シール体２７に直接大きい外力が与えられることは防止される。よって、上記第２シール体２７がコンテナ１内の物品Ａからの外力で早期に損傷させられることは防止されて、コンテナ１の寿命の向上が達成される。
【００５８】
また、前記したように、開口２の開口縁部のうちの下部開口縁部では、底部５の底板５ａの後端縁部が上記延出体２０よりも後方に突出させられていて、上記底部５の底板５ａの後端縁部により上記第２シール体２７の少なくとも前部上面が覆われている。
【００５９】
このため、コンテナ１内に収容された物品Ａから上記第２シール体２７に外力が与えられようとするとき、この外力の一部は上記底部５の底板５ａの後端縁部によっても坦持されることから、上記物品Ａから上記第２シール体２７に直接大きい外力が与えられることは防止される。よって、上記第２シール体２７がコンテナ１内の物品Ａからの外力で早期に損傷させられることは防止されて、コンテナ１の寿命の向上が達成される。
【００６０】
また、図１中一点鎖線で示すように、上記ドア１２の開動作によりコンテナ本体３の開口２が開けられた状態で、図３中二点鎖線で示すように、コンテナ本体３の他端部側である前端部側が油圧シリンダなどにより押し上げられて傾動させられると、図１，３中三点鎖線で示すように、コンテナ１内に収容されていた物品Ａは、このコンテナ１内を摺動させられて上記開口２を通し排出させられる。
【００６１】
そして、上記したように、開口２を通しコンテナ１内の物品Ａが排出させられるとき、この物品Ａの一部は上記第２シール体２７に衝突しようとするが、この第２シール体２７への物品Ａの衝突は上記第２シール体２７を全体的にコンテナ本体３の内部空間８側から覆う上記延出体２０により防止される。よって、コンテナ１内から排出させられる物品Ａからの衝突により上記第２シール体２７が早期に損傷させられることは防止されて、この点でも、コンテナ１の寿命の向上が達成される。
【００６２】
また、前記したように、コンテナ本体３の側部６における上記延出体２０の延出端縁部から上記第２シール体２７と上記中心線１０とに対しそれぞれ離反するよう延出し、その延出端縁部が上記コンテナ本体３の側部６の内面に固着される傾斜案内板３９を設けている。
【００６３】
このため、前記図３中二点鎖線で示すように、コンテナ本体３の前端部側が押し上げられて傾動させられることにより、上記コンテナ１内の物品Ａが上記開口２を通し排出させられるときには、図１中三点鎖線で示すように、上記物品Ａは上記傾斜案内板３９の表面に沿うよう円滑に案内されて排出させられる。よって、コンテナ１内の物品Ａは、コンテナ１内への残留が生じることが防止され、かつ、円滑に排出させられる。
【００６４】
また、コンテナ本体３の後端部における左右各側部６には、上記側板６ａ、側板補強材６ｂ、延出体２０、および傾斜案内板３９によって中空閉断面構造が形成されて上記コンテナ本体３の各側部６が補強される。よって、前記したようにコンテナ本体３の後端部には開口２が形成されることにより強度と剛性とが低下しがちではあるが、この低下は、上記延出体２０と傾斜案内板３９とを利用した簡単な構成による補強によって、十分に補填される。
【００６５】
また、前記したように、コンテナ本体３の底部５における上記開口２の開口縁部に、このコンテナ本体３の内部空間８側から上記中心線１０に沿った方向で外部に向かう途中から下方に向かって延出する縦壁部３７と、この縦壁部３７の下端縁部から上記コンテナ本体３の外部に向かって延出することにより上記コンテナ本体３の内部空間８側の底部５から見て下り段差となる段差部３８とを形成し、上記縦壁部３７を上記延出体２０としている。
【００６６】
このため、上記したように、コンテナ本体３の底部５の内面に上記中心線１０側に向かって延出する延出体２０を形成したことにかかわらず、上記コンテナ本体３の底部５の上面は全体的に平坦形状に保たれる。よって、前記図３中二点鎖線で示すように、コンテナ本体３の前端部側が押し上げられて傾動させられることにより、上記コンテナ１内の物品Ａが上記開口２を通し排出させられるとき、図３中三点鎖線で示すように、上記物品Ａは、上記コンテナ本体３の底部５の上面を円滑に摺動して、コンテナ１内への残留が生じることが防止され、かつ、円滑に排出させられる。
【００６７】
また、前記したように、ドア１２が、上記開口２の開口縁部に枢支される観音開き式の一対のドア部１２ａ，１２ｂを有し、これら両ドア部１２ａ，１２ｂの各回動端縁部の間の第３隙間２９をシールする他の第３シール体３１を設け、この他の第３シール体３１が、上記両ドア部１２ａ，１２ｂの両回動端縁部の内面に跨るよう設けられ、上記第３隙間２９の幅方向における一端縁部が上記両回動端縁部のうちの一方の回動端縁部に固着されるシールブラケット３１ａと、上記第３隙間２９の幅方向における上記シールブラケット３１ａの他端縁部の上記内部空間８とは反対側の面に取り付けられ、他方の回動端縁部に圧接するシール体本体３１ｂとを備えている。
【００６８】
このため、上記第３シール体３０に加えて他の第３シール体３１を設けたことにより、コンテナ１内の物品Ａから滲出する水などの液体が上記第３隙間２９を通りコンテナ１の外部に漏出することは、より確実に防止される。
【００６９】
そして、コンテナ１内に収容された物品Ａから上記他の第３シール体３１に外力が与えられるとき、この外力は主に上記シールブラケット３１ａによって担時されることから、上記物品Ａから上記シール体本体３１ｂに直接大きい外力が与えられることは防止される。よって、上記第３シール体３１のシール体本体３１ｂがコンテナ１内の物品Ａからの外力で早期に損傷させられることは防止されて、コンテナ１の寿命の向上が達成される。
【００７０】
また、前記したように、物品Ａが瓦礫など含水性廃棄物とされている。
【００７１】
このため、上記物品Ａは水が滲出し易いものではあるが、この物品Ａを上記したコンテナ１内に収容した場合には、前記したように物品Ａからの滲出水がコンテナ１の外部にまで漏出することは、より確実に防止される。よって、上記滲出水によりコンテナ１の周りが汚損されることは、より確実に防止される。
【００７２】
また、特に、上記物品Ａが瓦礫の廃棄物である場合には、破断部などの外面が先鋭な形状をなす瓦片、ガラス片、木片が多いため、この物品Ａから第２シール体２７に与えられる外力により、この第２シール体２７はより早期に損傷させられるおそれがある。しかし、このような第２シール体２７の早期の損傷は、前記した延出体２０の作用よって防止される。
【００７３】
なお、以上は図示の例によるが、コンテナ１は、そのコンテナ本体３の天井部７が開閉式のものであってもよい。また、上記ドア１２は片開き式のものであってもよい。また、上記第２シール体２７は、上記開口２の開口の全周にわたり設けてもよい。また、上記コンテナ１内からの物品Ａの排出は、必ずしもコンテナ１を傾動させる必要はなく、ドア１２の開動作により開けられた開口２を通し、コンテナ１内から物品Ａを運び出したり、掻き出したりしてもよい。そして、このようにした場合でも、コンテナ１を傾動させて物品Ａを排出させる際の前記作用効果と同様の作用効果が生じる。
【符号の説明】
【００７４】
１    コンテナ
２    開口
３    コンテナ本体
５    底部
６    側部
７    天井部
８    内部空間
１０  中心線
１２  ドア
１２ａ，１２ｂ  ドア部
１３  ヒンジ
１５ａ  フレーム端縁部
２０  延出体
２２  第１隙間
２３  第１シール体
２６  第２隙間
２７  第２シール体
２８  溝部
２９  第３隙間
３１  第３シール体
３１ａ  シールブラケット
３１ｂ  シール体本体
３７ 縦壁部
３８  段差部
３９  傾斜案内板
Ａ    物品
【要約】
【課題】コンテナ内の液体が外部に漏出しないよう、コンテナ本体に形成された開口をシール体を介しドアで開閉可能に閉じるようにした場合において、シール体がコンテナ内に収容された物品によって早期には損傷させられないようにして、コンテナの寿命を向上させる。
【解決手段】物品輸送コンテナが、ドア１２よりもコンテナ本体３の内部空間８側でコンテナ本体３の内面に形成され、開口２の中心線１０に沿った方向でドア１２の外縁部と対面するよう中心線１０側に向かって延出する延出体２０と、中心線１０に直交する方向で互いに対面する開口２の開口縁部とドア１２の外縁部との間の第１隙間２２をシールする第１シール体２３と、ドア１２の外縁部と延出体２０との間の第２隙間２６をシールする第２シール体２７とを備える。中心線１０に沿った方向で、延出体２０が第２シール体２７をコンテナ本体３の内部空間８側から覆うようにする。
【選択図】図１【図１】
0005192072.tif 000002
【図２】
0005192072.tif 000003
【図３】
0005192072.tif 000004